(57)【特許請求の範囲】
【請求項１】
スキャンジョブ及びスキャンジョブ以外のジョブを実行可能な画像処理装置であって、
第１のモードと第２のモードの何れかのモードをユーザの指定により設定する設定手段と、
稼動中の動作を止める指示が入力されるのに従って、前記設定手段によって設定されているモードを判定する判定手段と、
前記判定手段によって前記第１のモードが設定されていると判定された場合、前記画像処理装置にスキャンジョブ以外のジョブが存在せずスキャンジョブが存在する場合はジョブのリストを表示することなくスキャンジョブを停止させ、スキャンジョブ以外のジョブが存在する場合は存在するジョブをリスト表示し、該リストの中からユーザに選択されたジョブを停止させ、
前記判定手段によって前記第２のモードが設定されていると判定された場合、ジョブが存在する場合に、存在するジョブをリスト表示し、該リストの中からユーザに選択されたジョブを停止させる制御手段と
を有することを特徴とする画像処理装置。
【請求項２】
前記設定手段は、第３のモードをユーザの指定により更に設定可能であり、
前記制御手段は、前記判定手段によって第３のモードが設定されていると判定された場合、稼動中の動作を止める指示が入力された際にスキャンジョブが存在する場合は、ジョブのリストを表示することなくスキャンジョブを停止し、稼動中の動作を止める指示が入力された際にスキャンジョブが存在せずスキャンジョブ以外のジョブが存在する場合は、ジョブを停止させることなく継続することを特徴とする請求項１記載の画像処理装置。
【請求項３】
ジョブのリストを表示する表示手段をさらに有することを特徴とする請求項１或いは２に記載の画像処理装置。
【請求項４】
前記制御手段は、
前記画像処理装置にスキャンジョブ以外のジョブが存在するか否かを判定する第２の判定手段と、
前記画像処理装置にスキャンジョブが存在するか否かを判定する第３の判定手段とを有しており、
前記判定手段によって前記第１のモードが設定されていると判定された場合、前記第２の判定手段および前記第３の判定手段による判定を行うことを特徴とする請求項１乃至３の何れかに記載の画像処理装置。
【請求項５】
前記設定手段によって設定されたモードを記憶する記憶手段を更に有することを特徴とする請求項１乃至４の何れかに記載の画像処理装置。
【請求項６】
画像処理装置であって、
前記画像処理装置にスキャンジョブ以外のジョブが存在するか否かを判定する第１の判定手段と、
前記画像処理装置にスキャンジョブが存在するか否かを判定する第２の判定手段と、
稼動中の動作を止める指示が入力された際に、前記第１の判定手段によってスキャンジョブ以外のジョブが存在すると判定された場合には、前記画像処理装置に存在しているジョブのリストを表示し、該リストの中からユーザに選択されたジョブを停止し、
稼動中の動作を止める指示が入力された際に、前記第１の判定手段によってスキャンジョブ以外のジョブが存在しないと判定され、且つ前記第２の判定手段によってスキャンジョブが存在すると判定された場合には、前記画像処理装置に存在しているジョブのリストを表示することなく該スキャンジョブを停止する制御手段と
を有することを特徴とする画像処理装置。
【請求項７】
前記スキャンジョブ以外のジョブは、プリントジョブ又は通信系ジョブであることを特徴とする請求項１乃至６の何れかに記載の画像処理装置。
【請求項８】
前記ジョブのリストは、ジョブの種類を識別可能に表示されることを特徴とする請求項１乃至７の何れかに記載の画像処理装置。
【請求項９】
前記稼動中の動作を止める指示は、画像処理装置の操作部が有するストップキーをユーザが押下することによって指示されることを特徴とする請求項１乃至８の何れかに記載の画像処理装置。
【請求項１０】
前記ジョブのリストは、ジョブそれぞれの状況を識別可能であることを特徴とする請求項１乃至９の何れかに記載の画像処理装置。
【請求項１１】
スキャンジョブ及びスキャンジョブ以外のジョブを実行可能な画像処理装置の制御方法であって、
第１のモードと第２のモードの何れかのモードをユーザの指定により設定する設定工程と、
稼動中の動作を止める指示が入力されるのに従って、前記設定工程によって設定されているモードを判定する判定工程と、
前記判定工程によって前記第１のモードが設定されていると判定された場合、前記画像処理装置にスキャンジョブ以外のジョブが存在せずスキャンジョブが存在する場合はジョブのリストを表示することなくスキャンジョブを停止させ、スキャンジョブ以外のジョブが存在する場合は存在するジョブをリスト表示し、該リストの中からユーザに選択されたジョブを停止させ、
前記判定工程によって前記第２のモードが設定されていると判定された場合、ジョブが存在する場合に、存在するジョブをリスト表示し、該リストの中からユーザに選択されたジョブを停止させる制御工程と
を有することを特徴とする画像処理装置の制御方法。
【請求項１２】
画像処理装置の制御方法であって、
前記画像処理装置にスキャンジョブ以外のジョブが存在するか否かを判定する第１の判定工程と、
前記画像処理装置にスキャンジョブが存在するか否かを判定する第２の判定工程と、
稼動中の動作を止める指示が入力された際に、前記第１の判定工程によってスキャンジョブ以外のジョブが存在すると判定された場合には、前記画像処理装置に存在しているジョブのリストを表示し、該リストの中からユーザに選択されたジョブを停止し、
稼動中の動作を止める指示が入力された際に、前記第１の判定工程によってスキャンジョブ以外のジョブが存在しないと判定され、且つ前記第２の判定工程によってスキャンジョブが存在すると判定された場合には、前記画像処理装置に存在しているジョブのリストを表示することなく該スキャンジョブを停止する制御工程と
を有することを特徴とする画像処理装置の制御方法。
【発明の詳細な説明】
【０００１】
【発明の属する技術分野】
本発明は、たとえばＬＡＮやＰＳＴＮ、ＩＳＤＮなどのネットワークに接続され、画像の送受信及び画像の入出力を並列して遂行可能な画像入出力装置及びその制御方法に関する。
【０００２】
【従来の技術】
コピーやファクシミリ、プリンタやスキャナといった、画像の入出力及び画像通信などの用途において、多目的な用途に利用可能ないわゆるデジタル複合機が近年普及しつつある。デジタル複合機は、画像入力のためのスキャナ部、出力のためのプリンタ部、ネットワークとの通信のための通信制御部等を有している。
【０００３】
デジタル複合機において遂行されるコピーやファクシミリ送信、ＰＤＬデータの印刷といった一連の処理（親ジョブと呼ぶことにする）は、処理の際にはいったんスキャナ部、プリンタ部、通信部といった各部において遂行されるプリントジョブ、スキャンジョブ、通信ジョブといった子ジョブ（単にジョブと呼ぶ）に分割され、ジョブごとに実行される。このため、ジョブ間の資源競合がなければ、複数の親ジョブを並列に実行することができる。たとえば、ＰＤＬデータの印刷はプリンタを使用するがスキャナは使用しない。このため、スキャナによる画像画像読み込みをジョブとする処理とは並列処理が可能である。
【０００４】
また、プリントジョブも一時に１つしか実行できないが、プリントジョブが生成された時点でプリンタが使用中であればその印刷ジョブを待ち行列に着け、順次待ち行列内の印刷ジョブを実行することで、迅速な印刷出力が可能となっている。
【０００５】
このような従来のデジタル複合機では、複数プリントジョブの状態を表示するための、プリント状況キーが特別に設けられており、プリント状況キーを利用者が押下することでプリントジョブリストが表示され、その中から削除したいプリントジョブを利用者が選択することが可能であった。
【０００６】
また、ストップキーを押下した際は、強制的にスキャンジョブを削除することが可能であった。
【０００７】
【発明が解決しようとする課題】
しかしながら、上述したように、ジョブを停止させて削除するための操作がスキャンジョブに対してとプリンタジョブに対してとで異なっており、操作性がよくなかった。特に、複数のプリントジョブと通信系ジョブ、スキャンジョブが並列に動作しているときには、利用者は操作に戸惑いがちであった。
【０００８】
本発明は上記従来例に鑑みてなされたもので、実行中あるいは待機中のジョブを削除するため操作を操作しやすいものとし、操作性に優れた画像入出力装置及びその制御方法を提供することを目的とする。
【０００９】
【課題を解決するための手段】
上記目的を達成するために、本発明は次のような手段からなる。すなわち、スキャンジョブ及びスキャンジョブ以外のジョブを実行可能な画像処理装置であって、第１のモードと第２のモードの何れかのモードをユーザの指定により設定する設定手段と、稼動中の動作を止める指示が入力されるのに従って、前記設定手段によって設定されているモードを判定する判定手段と、前記判定手段によって前記第１のモードが設定されていると判定された場合、前記画像処理装置にスキャンジョブ以外のジョブが存在せずスキャンジョブが存在する場合はジョブのリストを表示することなくスキャンジョブを停止させ、スキャンジョブ以外のジョブが存在する場合は存在するジョブをリスト表示し、該リストの中からユーザに選択されたジョブを停止させ、前記判定手段によって前記第２のモードが設定されていると判定された場合、ジョブが存在する場合に、存在するジョブをリスト表示し、該リストの中からユーザに選択されたジョブを停止させる制御手段とを有することを特徴とする。
【００１０】
あるいは、画像処理装置であって、稼動中の動作を止める指示が入力された際に、前記画像処理装置がスキャン動作を実行中であるか否かを判定する第２の判定手段と、稼動中の動作を止める指示が入力された際に、前記第２の判定手段による判定結果に基づいて、スキャン動作を実行中でない場合には、前記画像処理装置に存在しているジョブのリストを表示し、該リストの中からユーザに選択されたジョブを停止し、スキャン動作を実行中である場合には、前記画像処理装置に存在しているジョブのリストを表示することなく該スキャン動作を停止する第２の制御手段とを有することを特徴とする。
【００１１】
あるいは、画像処理装置であって、前記画像処理装置にスキャンジョブ以外のジョブが存在するか否かを判定する第１の判定手段と、前記画像処理装置にスキャンジョブが存在するか否かを判定する第２の判定手段と、稼動中の動作を止める指示が入力された際に、前記第１の判定手段によってスキャンジョブ以外のジョブが存在すると判定された場合には、前記画像処理装置に存在しているジョブのリストを表示し、該リストの中からユーザに選択されたジョブを停止し、稼動中の動作を止める指示が入力された際に、前記第１の判定手段によってスキャンジョブ以外のジョブが存在しないと判定され、且つ前記第２の判定手段によってスキャンジョブが存在すると判定された場合には、前記画像処理装置に存在しているジョブのリストを表示することなく該スキャンジョブを停止する制御手段とを有することを特徴とする。
【００１４】
【発明の実施の形態】
＜第１の実施の形態＞
以下で本発明の実施形態であるデジタル複合機及びその動作について詳細に説明する。
【００１５】
デジタル複合機を用いたネットワークシステム全体の構成図を図１に示す。１００１は本発明が適用されたデジタル複合機で、後述するスキャナとプリンタから構成され、スキャナから読み込んだ画像をローカルエリアネットワーク１０１０（以下ＬＡＮ）に流したり、ＬＡＮから受信した画像をプリンタによりプリントアウトできる。また、スキャナから読んだ画像を図示しないＦＡＸ送信手段により、ＰＳＴＮまたはＩＳＤＮ（１０３０）に送信したり、ＰＳＴＮまたはＩＳＤＮから受信した画像をプリンタによりプリントアウトできる。
【００１６】
１００２は、データベースサーバで、本発明の装置１００１により読み込んだ２値画像及び多値画像をデータベースとして管理する。１００３は、データベースサーバ１００２のデータベースクライアントで、データベース１００２に保存されている画像データを閲覧／検索等できる。１００４は、電子メールサーバで、デジタル複合機１００１により読み取った画像を電子メールの添付として受け取ることができる。１００５は、電子メールのクライアントで、電子メールサーバ１００４の受け取ったメールを受信し閲覧したり、電子メールを送信したり、可能である。１００６がＨＴＭＬ文書をＬＡＮに提供するＷＷＷサーバで、本発明の装置１００１によりＷＷＷサーバで提供されるＨＴＭＬ文書をプリントアウトできる。１００７は、ルータでＬＡＮ１０１０をインターネット／イントラネット１０１２と連結する。インターネット／イントラネットに、前述したデータベースサーバ（１００２）、ＷＷＷサーバ（１００６）、電子メールサーバ（１００４）、デジタル複合機（１００１）と同様の装置が、それぞれ１０２０，１０２１，１０２２，１０２３として連結している。一方、デジタル複合機１００１は、ＰＳＴＮまたはＩＳＤＮ（１０３０）を介して、ＦＡＸ装置１０３１と送受信可能になっている。また、ＬＡＮ上にプリンタ１０４０も連結されており、デジタル複合機１００１により読み取った画像をプリントアウト可能なように構成されている。
【００１７】
［ハードウェア］
・全体構成
デジタル複合機１００１の構成図を図３に示す。Controller Unit２０００は画像入力デバイスであるScanner２０７０や画像出力デバイスであるPrinter２０９５と接続し、一方ではＬＡＮ２０１１や公衆回線（ＷＡＮ）２０５１接続することで、画像情報やデバイス情報の入出力を行う為のコントローラである。
【００１８】
ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。
【００１９】
操作部Ｉ／Ｆ２００６は操作部（ＵＩ）２０１２とインターフェース部で、操作部２０１２に表示する画像データを操作部２０１２に対して出力する。また、操作部２０１２から本システム使用者が入力した情報を、ＣＰＵ２００１に伝える役割をする。操作部２１１２には、後述するストップキーや、ジョブリスト等を表示するための表示部が設けられている。
【００２０】
Network２０１０はＬＡＮ２０１１に接続し、情報の入出力を行う。Modem２０５０は公衆回線２０５１に接続し、情報の入出力を行う。以上のデバイスがシステムバス２００７上に配置される。
【００２１】
Image Bus I/F２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。
【００２２】
ラスターイメージプロセッサ（ＲＩＰ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。
【００２３】
スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００２４】
・画像入出力部
画像入出力デバイスを図４に示す。画像入力デバイスであるスキャナ部２０７０は、原稿となる紙上の画像を照明し、ＣＣＤラインセンサ（図示せず）を走査することで、ラスターイメージデータ２０７１として電気信号に変換する。原稿用紙は原稿フィーダ２０７２のトレイ２０７３にセットし、装置使用者が操作部２０１２から読み取り起動指示することにより、コントローラＣＰＵ２００１がスキャナ２０７０に指示を与え（２０７１）、フィーダ２０７２は原稿用紙を１枚ずつフィードし原稿画像の読み取り動作を行う。
【００２５】
画像出力デバイスであるプリンタ部２０９５は、ラスターイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示２０９６によって開始する。プリンタ部２０９５には、異なる用紙サイズまたは異なる用紙向きを選択できるように複数の給紙段を持ち、それに対応した用紙カセット２１０１，２１０２，２１０３，２１０４がある。また、排紙トレイ２１１１は印字し終わった用紙を受けるものである。
【００２６】
・操作部
操作部２０１２の樟成を図５に示す。ＬＣＤ表示部２０１３は、ＬＣＤ上にタッチパネルシートが貼られており、システムの操作画面を表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザーＩＤを入力する時に用いる。リセットキー２０１７は操作部からの設定を初期化する時に用いる。
【００２７】
・スキャナ画像処理部
スキャナ画像処理部２０８０の構成を図６に示す。画像バスＩ／Ｆコントローラ２０８１は、画像バス２００８と接続し、そのバスアクセスシーケンスを制御する働きと、スキャナ画像処理部２０８０内の各デバイスの制御及びタイミングを発生させる。フィルタ処理部２０８２は、空間フィルタでコンボリューション演算を行う。編集部２０８３は、例えば入力画像データからマーカーペンで囲まれた閉領域を認識して、その閉領域内の画像データに対して、影つけ、網掛け、ネガポジ反転等の画像加工処理を行う。変倍処理部２０８４は、読み取り画像の解像度を変える場合にラスターイメージの主走査方向について補間演算を行い拡大、縮小を行う。副走査方向の変倍については、画像読み取りラインセンサ（図示せず）を走査する速度を変えることで行う。テーブル２０８５は、読み取った輝度データである画像データを濃度データに変換するために、行うテーブル変換である。２値化２０８６は、多値のグレースケール画像データを、誤差拡散処理やスクリーン処理によって２値化する。
【００２８】
処理が終了した画像データは、再び画像バスコントローラ２０８１を介して、画像バス上に転送される。
【００２９】
・プリンタ画像処理部
プリンタ画像処理部２０９０の構成を図７に示す。画像バスＩ／Ｆコントローラ２０９１は、画像バス２００８と接続し、そのバスアクセスシーケンスを制御する働きと、スキャナ画像処理部２０９０内の各デバイスの制御及びタイミングを発生させる。解像度変換部２０９２は、Network２０１１あるいは公衆回線２０５１から来た画像データを、プリンタ２０９５の解像度に変換するための解像度変換を行う。スムージング処理部２０９３は、解像度変換後の画像データのジャギー（斜め線等の白黒境界部に現れる画像のがさつき）を滑らかにする処理を行う。
【００３０】
［ソフトウェア］
次に上述した構成において、デジタル複合機１００１を制御するためのソフトウエアの構成を説明する。
【００３１】
・ソフトウェアブロック全体構成
図２は、デジタル複合機１００１のソフトウェアブロック図である。
【００３２】
１５０１はＵＩ、即ちユーザインターフェイスを司るものであり、オペレータが本複合機の各種操作・設定を行う際、機器との仲介を行うモジュールである。本モジュールは、オペレータの操作に従い、後述の各種モジュールに入力情報を転送し処理の依頼、或いはデータの設定等を行う。
【００３３】
１５０２はAddress-Book即ちデータの送付先、通信先等を管理するデータベースモジュールである。Address-Bookの内容は、ＵＩ１５０１からの操作によりデータの追加、削除、取得が行われ、オペレータの操作により後述の各モジュールにデータの送付・通信先情報を与えるものとして使用されるものである。
【００３４】
１５０３はWeb-Serverモジュールであり、図外のＷｅｂクライアントからの要求により、本複合機の管理情報を通知するために使用される。管理情報は、後述のControll-API１５１８を介して読み取られ、後述のＨＴＴＰ１５１２、ＴＣＰ／ＩＰ１５１６、Network-Driver１５１７を介してＷｅｂクライアントに通知される。
【００３５】
１５０４はUniversal-Send、即ちデータの配信を司るモジュールであり、ＵＩ１５０１によりオペレータに指示されたデータを、同様に指示された通信（出力）先に配布するものである。また、オペレータにより、本機器のスキャナ機能を使用し配布データの生成が指示された場合は、後述のControll-API１５１８を介して機器を動作させ、データの生成を行う。
【００３６】
１５０５はUniversal-Send１５０４内で出力先にプリンタが指定された際に実行されるモジュールである。
【００３７】
１５０６はUniversal-Send１５０４内で通信先にE-mailアドレスが指定された際に実行されるモジュールである。
【００３８】
１５０７はUniversal-Send１５０４内で出力先にデータベースが指定された際に実行されるモジュールである。
【００３９】
１５０８はUniversal-Send１５０４内で出力先に本機器と同様の複合機が指定された際に実行されるモジュールである。
【００４０】
１５０９はRemote-Copy-Scanモジュールであり、本複合機のスキャナ機能を使用し、ネットワーク等で接続された他の複合機を出力先とし、本複合機単体で実現しているCopy機能と同等の処理を行うモジュールである。
【００４１】
１５１０はRemote-Copy-Printモジュールであり、本複合機のプリンタ機能を使用し、ネットワーク等で接続された他の複合機を入力先とし、本複合機単体で実現しているCopy機能と同等の処理を行うモジュールである。
【００４２】
１５１１はWeb-Pull-Print即ちインターネットまたはイントラネット上の各種ホームページの情報を読み出し、印刷するモジュールである。
【００４３】
１５１２は本複合機がＨＴＴＰにより通信する際に使用されるモジュールであり、後述のＴＣＰ／ＩＰ１５１６モジュールにより前述のWeb-Server１５０３、Web-Pull-Print１５１１モジュールに通信を提供するものである。
【００４４】
１５１３はｌｐｒモジュールであり、後述のＴＣＰ／ＩＰ１５１６モジュールにより前述のUniversal-Send１５０４内のプリンタモジュール１５０５に通信を提供するものである。
【００４５】
１５１４はＳＭＴＰモジュールであり、後述のＴＣＰ／ＩＰ１５１６モジュールにより前述のUniversal-Send１５０４内のE-mailモジュール１５０６に通信を提供するものである。
【００４６】
１５１５はＳＬＭ、即ちSalutation-Managerモジュールであり、後述のＴＣＰ／ＩＰ１５１６モジュールにより前述のUniversal-Send１５０４内のデータベースモジュール１５１７、ＤＰモジュール１５１８、及びRemote-Copy-Scan１５０９モジュール、Remote-Copy-Print１５１０モジュールに通信を提供するものである。
【００４７】
１５１６はＴＣＰ／ＩＰ通信モジュールであり、前述の各種モジュールに後述のNetwork-Driverによりネットワーク通信を提供するものである。
【００４８】
１５１７はネットワークドライバであり、ネットワークに物理的に接続される部分を制御するものである。
【００４９】
１５１８はControll-APIであり、Universal-Send１５０４等の上流モジュールに対し、後述のJob-Manager１５１９等の下流モジュールとのインターフェイスを提供するものであり、上流、及び下流のモジュール間の依存関係を軽減しそれぞれの流用性を高めるものである。
【００５０】
１５１９はJob-Managerであり、前述の各種モジュールよりControll-API１５１８を介して指示される処理を解釈し、後述の各モジュールに指示を与えるものである。また、本モジュールは、本複合機内で実行されるハード的な処理を一元管理するものである。
【００５１】
１５２０はCODEC-Managerであり、Job-Manager１５１９が指示する処理の中でデータの各種圧縮・伸長を管理・制御するものである。
【００５２】
１５２１はFBE-Encoderであり、Job-Manager１５１９、Scan-Manager１５２４により実行されるスキャン処理により読み込まれたデータをＦＢＥフォーマットにより圧縮するものである。
【００５３】
１５２２はJPEG-CODECであり、Job-Manager１５１９、Scan-Manager１５２４により実行されるスキャン処理、及びPrint-Manager１５２６により実行される印刷処理において、読み込まれたデータのＪＰＥＧ圧縮及び印刷データのＪＰＥＧ展開処理を行うものである。
【００５４】
１５２３はMMR-CODECであり、Job-Manager１５１９、Scan-Manager１５２４により実行されるスキャン処理、及びPrint-Manager１５２６により実行される印刷処理において、読み込まれたデータのＭＭＲ圧縮及び印刷データのＭＭＲ伸長処理を行うものである。
【００５５】
１５２４はScan-Managerであり、Job-Manager１５１９が指示するスキャン処理を管理・制御するものである。
【００５６】
１５２５はＳＣＳＩドライバであり、Scan-Manager１５２４と本複合機が内部的に接続しているスキャナ部との通信を行うものである。
【００５７】
１５２６はPrint-Managerであり、Job-Manager１５１９が指示する印刷処理を管理・制御するものである。
【００５８】
１５２７はEngine-I/Fドライバであり、Print-Manager１５２６と印刷部とのＩ／Ｆを提供するものである。
【００５９】
１５２８はパラレルポートドライバであり、Web-Pull-Print１５１１がパラレルポートを介して図外の出力機器にデータを出力する際のＩ／Ｆを提供するものである。
【００６０】
なお、図２において、点線Ａより上をアプリケーションと称する。
【００６１】
・アプリケーション
以下、本発明の組み込みアプリケーション（図２における点線より上の部分）の実施の形態について図面を用いて説明する。
【００６２】
図１６は、本発明の配信に関する組み込みアプリケーションブロックを表すものである。図において、図２と同じ参照番号のブロックは、図２で説明したブロックと同じものである。
【００６３】
１５０１は、本発明の操作部アプリケーションを示すブロックである。
【００６４】
１５０９は、リモートコピーアプリケーシヨンの送信側を示すブロックである。
【００６５】
１５０４は、同報配信の送信側を示すブロックである。
【００６６】
１５１１は、Web Pull Printモジュールを示すブロックである。
【００６７】
１５０３は、Web Serverモジュールを示すブロックである。
【００６８】
４３００は、リモートコピーの受信側（プリント側）を示すブロックである。
【００６９】
４３５０は、同報配信で送信されてきたイメージを汎用のプリンタで受信・プリントするブロックである。
【００７０】
４４００は、リモートプリントの受信側（プリント側）を示すブロックである。
【００７１】
４４５０は、同報配信で送信されてきたイメージを公知のNotes Serverで受信・格納するブロックである。
【００７２】
４５００は、同報配信で送信されてきたイメージを２値のイメージを受信・格納するブロックである。
【００７３】
４５５０は、同報配信で送信されてきたイメージを公知のMail Serverで受信・格納するブロックである。
【００７４】
４６００は、同報配信で送信されてきたイメージを多値のイメージを受信・格納するブロックである。
【００７５】
４６５０は、情報コンテンツを含んだ、公知のWeb Serverを示す。
【００７６】
４７００は、本発明のWeb Serverなどにアクセスする公知のWeb Browserを示す。
【００７７】
以下、上記アプリケーション群の動作を説明する。
【００７８】
・操作画面
本実施形態の装置が提供する機能は、Copy／Send／Retrieve／Tasks／Management／Configurationの６つの大きなカテゴリーに分かれており、これらは図９の操作画面３０１０上の上部に表示される６つのメインタブ(COPY/SEND/RETREIVE/TASES/MGMT/CONFIG)（３０１１〜３０１６）に対応している。これらのメインタブを押すことにより、各カテゴリーの画面への切り替えが行われる。他カテゴリーへの切り換えが許可されない場合は、メインタブの表示色が変わり、メインタブを押しても反応しない。
【００７９】
Copyは自機が有するスキャナとプリンタを使用して通常のドキュメント複写を行う機能と、自機が有するスキャナとネットワークで接続されたプリンタを使用してドキュメントの複写を行う機能（リモートコピー）を含む。Sendは自機が有するスキャナに置かれたドキュメントを、電子メール、リモートプリンタ、ファックス、ファイル転送（ＦＴＰ）およびデータベースに転送する機能であり、宛先を複数指定することが可能である。Retrieveは外部にあるドキュメントを取得し、自機が有するプリンタで印刷する機能である。ドキュメントの取得手段としてＷＷＷ、電子メール、ファイル転送およびファックスの使用が可能である。Tasksはファックスやインターネットプリントなどの外部から送られるドキュメントを自動処理し、定期的にRetrieveを行うためのタスクの生成、管理を行う。Managementはジョブ・アドレス帳・ブックマーク・ドキュメント・アカウント情報などの管理を行う。Configurationでは自機に関しての設定（ネットワーク、時計など）を行う。
【００８０】
以下、これらの機能設定を行う方法をその画面ごとに簡単に説明する。ただし画面そのものは図示しない。
【００８１】
・ＩＤ入力画面
電源投入直後およびＩＤキー押下時にＩＤ入力画面が表示される。ＩＤ入力画面でユーザＩＤおよびパスワードを正しく入力し、ＯＫボタンを押すと、通常操作が可能になる。
【００８２】
・ＣＯＰＹ画面
ＣＯＰＹ画面表示時にスタートボタンを押すと、スキャナが動作し、選択されているプリンタから画面上に表示されている各設定パラメータに応じた複写物が出力される。
【００８３】
ＣＯＰＹメイン画面はプリンタ選択ボタンおよびプリンタ表示領域、Image Quality選択ボタンおよびImage Quality表示領域、従来の複写機と同様のコピーパラメータ表示、拡大縮小設定ボタン、紙選択ボタン、ソータ設定ボタン、両面コピー設定ボタン、濃度インジケータおよび濃度設定ボタン、テンキーから構成される。
【００８４】
プリンタ選択ボタンにより、使用可能なプリンタ（自機が有するプリンタおよびネットワークで接続されたプリンタ）の選択が可能である。
【００８５】
Image Quality設定ボタンにより、所望のImage Qualityを選択することができる。
【００８６】
前述のコピーパラメータ設定ボタンを押すと、それぞれに対応した設定を行うためのサブ画面（拡大縮小設定、紙選択、ソータ設定、両面コピー設定）が表示され、従来の複写機での設定と同様にパラメータを設定することができる。また濃度設定も従来の複写機と同様に操作することができる。
【００８７】
・ＳＥＮＤ画面
Send画面表示時にスタートボタンが押されると、スキャナが動作し、読取った画像データを設定された宛先に指定された送信方法で送信する処理が開始される。
【００８８】
ＳＥＮＤメイン画面は、宛先表示領域、詳細宛先数表示領域、宛先スクロールボタン、アドレスブックボタン、Newボタン、Editボタン、Deleteボタン、Subject入力領域、Message入力領域、File Name入力領域、Cover pageチェックボタン、Put Into HDチェックボタン、Print Outチェックボタン、Scan Settingボタンから構成される。リセットを含む初期化時には３２０１に示すように、宛先表示領域には１つの宛先も表示されず、操作説明画面が表示される。
【００８９】
・アドレスブックサブ画面
Address Bookボタンを押すと、アドレスブックサブ画面が表示される。アドレス帳表示領域で選択マークを付けられた宛先は、ＯＫボタンを押すことにより、ＳＥＮＤメイン画面の宛先表示領域に追加される。アドレス帳の表示はソート項目設定ボタンを押すことによりクラス別、名前昇順、名前降順にソートされる。項目選択件数表示領域には選択マークの付けられた項目数を表示する。
【００９０】
・サーチサブ画面
アドレスブックサブ画面内のSearchボタンを押すとローカルアドレス帳または外部にあるアドレスサーバから宛先を検索するためのサーチサブ画面が表示される。サーチサブ画面上部は検索条件設定部分である。検索対象クラス表示領域、検索対象属性表示領域、検索対象条件表示領域、検索対象アドレスブック表示領域には現在選択されているものが表示される。検索対象クラス設定ボタンを押すと、検索対象クラス一覧が表示される。この一覧から選択されたものが検索対象クラス表示領域に表示される。検索対象属性設定ボタンを押すことによって検索対象属性一覧が表示される。この一覧に表示される属性は選択されている検索対象クラスによって次のように変化する。Common Name・Address・Country（クラス：Person）、Common Name・Owner・Location・Model・Type・Resolution・Color・Finisher（クラス：Printer）、Common Name・Member（クラス：Group）、すべての属性（クラス：Everything）。検索対象条件設定ボタンを押すと、検索対象条件一覧が表示され、その一覧の中から条件を選択する。検索対象アドレスブック設定ボタンを押すと、検索対象アドレスブックの一覧が表示され、その中から選択することが可能になる。検索対象属性値入力領域を押すと、フルキーボードが表示され、値を入力することが可能になる。
【００９１】
Do Searchボタンを押すと、設定された検索条件に従って検索が行われる。検索結果は検索結果表示領域に表示され、検索結果件数表示領域に件数が表示される。
【００９２】
検索結果表示領域の項目のうち１つを選択した状態でDetailボタンを押すと、その項目に対する詳細情報が表示される。
【００９３】
検索結果表示領域内の項目で宛先に追加するものには選択マークを付加する。ＯＫボタンを押すと、サーチサブ画面がクローズされ、ＳＥＮＤメイン画面に戻り、選択マークが付加されていた項目が宛先に追加される。キャンセルボタンを押した場合はサーチサブ画面がクローズされ、ＳＥＮＤメイン画面に戻るが、宛先に変化はない。
【００９４】
・詳細宛先サブ画面
ＳＥＮＤメイン画面のNewボタンを押すとPersonクラス詳細サブ画面が表示され、新しい宛先の設定が可能になる。宛先の入力は送信方法（電子メール、ファックス、プリンタ、ＦＴＰ）に対応した送信方法選択ボタンを押すか、詳細宛先入力領域を押すと、ファックスの場合はテンキーボード、その他はフルキーボードが表示され、入力可能になる。
【００９５】
・HD SETTINGサブ画面
Put Into HDチェックボタンを押すと、ハードディスクに送信するための設定を行うHD SETTINGサブ画面が表示される。詳細説明は省略する。
【００９６】
・Print Outサブ画面
Print Outチェックボタンを押すと、プリントアウトサブ画面が表示される。プリントアウトサブ画面ではプリント枚数、紙サイズ、拡大縮小率、両面印刷、ソート、解像度などを設定する。
【００９７】
・Scan Settingサブ画面
Scan Settingボタンを押すと、Scan Settingサブ画面が表示される。Scan Settingサブ画面内のPresetモード選択領域からスキャン設定を１つ選択すると、それに対応する予め設定された解像度、スキャンモード、濃度がそれぞれの表示領域に表示される。これらの値は手動で変えることが可能である。
【００９８】
・RETRIEVE画面
RETRIEVEメイン画面にはWWW、E-mail、Fax、FTPのサブタブおよび各サブカテゴリーで共通に使用されるPUT INTO HDチェックボタン、PRINT SETTINGボタンが表示される。サブタブを押すことによって対応するWWW、E-mail、Fax、FTPの各サブ画面が表示される。リセットを含む初期化時にはＷ耶サブ画面が表示される。
【００９９】
・ＷＷＷサブ画面
ＷＷＷサブ画面表示時にスタートボタンを押すと、画面上に表示されている各設定に従ってホームページが印刷される。ただし、ＵＲＬ入力領域に何も表示されていない時にスタートボタンが押されても何も機能しない。
【０１００】
Bookmarkサブ画面
Bookmarkボタンを押すと、Bookmarkサブ画面が表示される。Bookmarkサブ画面中のブックマーク表示領域には設定されているブックマークの一覧が表示され、どれか１つの行を押すことによって選択表示状態となる。
【０１０１】
・E-mailサブ画面
E-mailサブ画面ではE-mailを受け取るための設定を行う。各入力領域を押すとフルキーボードが表示され、入力可能になる。
【０１０２】
・Ｆａｘサブ画面
Ｆａｘサブ画面ではファックス番号の入力を行う。入力領域を押すと、テンキーボードが表示され、ファックス番号入力が可能になる。
【０１０３】
・FTP Serverサブ画面
FTP Serverサブ画面ではサーバからデータを受け取るための設定を行う。各入力領域を押すとフルキーボードが表示され、入力可能になる。
【０１０４】
・HD Settingサブ画面
各カテゴリーに共通のPut Into HDチェックボタンを押すと、HD Settingサブ画面が表示される。機能はSendのHD Settingサブ画面と同様である。
【０１０５】
・Print Settingサブ画面
各カテゴリーに共通のPrint Settingボタンを押すと、Print Settingサブ画面が表示される。機能はSendのPrint Outサブ画面と同様である。
【０１０６】
・TASKS画面
TASKS画面が表示されている状態でスタートキーが押されると、TASKS画面上で設定されたパラメータに従って、自動的なRETRIEVE動作が実行される。
【０１０７】
TASKSメイン画面にはWWW、E-mail、Print Receive、Fax Receive、Fax Pollingのサブタブが表示される。リセットを含む初期化時にはＷＷＷサブ画面が表示される。
【０１０８】
・ＷＷＷサブ画面
ＷＷＷタスク一覧表示領域には機器内に保持されているタスクが入力された順番で表示されている。実際に実行する必要のあるタスクには選択マークを付加する。選択マークが表示されていないタスクはタスクとして機器内に保持されているが、実際には実行されない。
【０１０９】
Newボタンを押すと、ＷＷＷタスク詳細サブ画面が表示され、新規にタスクの入力が可能となる。ＷＷＷタスク詳細サブ画面については後述する。
【０１１０】
・ＷＷＷタスク詳細サブ画面
ＷＷＷタスク詳細サブ画面にはRETRIEVEメイン画面とRETRIEVEのＷＷＷサブ画面に共通の機能を持つコンポーネント、チェックタイム表示領域、チェックタイム設定ボタン、PRINT WHENCHANGEDチェックボタン、転送チェックボタン、ＯＫボタン、キャンセルボタンが表示される。
【０１１１】
チェックタイム表示領域は、ＷＷＷタスク設定サブ画面がNewボタンによって表示された場合は空白、Editボタンによって表示された場合は設定されていたタスク実行時刻が表示されている。また、後述するチェックタイムサブ画面で設定が行われた直後は設定されたタスク実行時刻が表示される。
【０１１２】
チェックタイム設定ボタンが押されると後述するチェックタイムサブ画面が表示され、タスクを実行するタイミングを設定することが可能になる。
【０１１３】
・チェックタイムサブ画面
チェックタイムサブ画面にはスケジュールモード設定ボタン、時刻入力領域、ＯＫボタン、キャンセルボタンが表示される。その他にスケジュールモード設定ボタンのうち、Onceボタンが選択されている場合は月入力領域、日付入力領域が表示される。Weeklyボタン選択時は曜日設定チェックボタンが表示される。Monthlyボタン選択時は日付入力領域が表示される。それぞれの入力領域を押すと、テンキーボードが表示され、数値の入力が可能になる。曜日設定チェックボタンは複数の曜日の選択が可能である。
【０１１４】
・ＭＧＭＴ画面
Management画面。詳細な説明は省略する。
【０１１５】
・ＣＯＮＦＩＧ画面
Configuration画面。詳細な説明は省略する。
【０１１６】
・フルキーボード
フルキーボードは文字の入力領域が押されたときに表示される。www.ボタン、comボタンを押すと、それぞれ“www.”、“com”の文字が入力される。その他のキーは従来通りの機能であるため、説明は省略する。
【０１１７】
・テンキーボード
テンキーボードは数値入力領域または月入力領域が押されたときに表示される。各キーについての説明は省略する。
【０１１８】
・エラー画面
エラー画面は何らかのエラーがあった場合に表示される。
【０１１９】
エラー画面にはエラーメッセージをテキストで表示するメッセージ表示領域、エラー画面をクローズするためのＯＫボタンが含まれる。
【０１２０】
・ジョブリスト
ジョブリストとは、現在稼働中または待機中、中断中のプリントジョブ、スキャンジョブ、その他通信系ジョブの状態をリストアップしたもので、図１５のように、コピー、ＦＡＸ、プリントなどのジョブ種別と、各ジョブの動作状況、および、ファイル名や、ＦＡＸ宛先名称、E-mailサブジェクトなどの詳細情報、さらに部数等から構成されている。
【０１２１】
更に、ジョブリスト上から一つ以上の任意のジョブを選択可能で、選択したジョブに対してジョブ停止もしくは削除要求を出すことが可能である。
ジョブリストは、図９のStatusキー３０１７を押下することで表示される。
【０１２２】
また、現在稼働中、待機中、もしくは中断中のジョブが存在している場合は、ストップキー３００３を押下することでも、表示可能である。
ストップキー押下によるジョブリスト表示は後述する。
【０１２３】
・ストップキー
ストップキーによる処理は本実施形態のデジタル複合機に特徴的な処理である。
【０１２４】
ストップキー２０１５が押下された場合の処理を図１０を参照して説明する。
【０１２５】
ストップキー２０１５が押下（ステップＳ３９０１）されると、ステップＳ３９０２のジョブ識別によって、ジョブの有無を識別する。ここで言うジョブとは、プリントジョブ、スキャンジョブ、その他通信系ジョブのすべてが該当する。ジョブ識別部にて識別されるジョブは、図１７のJob Manager７１０１（後述）にて、管理されているものである。
【０１２６】
ジョブ識別により、動作中、待機中、中断中ジョブが少なくとも一つ以上存在するとの判断がされた場合、図１５のジョブリストを表示する。
【０１２７】
ジョブリスト上からは、前述したように、削除希望のジョブを任意に選択可能であり、選択されたジョブの行は反転表示される。
【０１２８】
少なくとも一つ以上のジョブを選択した状態で、図１５のジョブリスト画面に表示されている「中止」キー３８４１を押下すると、Controllerに対して、選択したジョブの中止、または削除を要求する。
【０１２９】
ジョブリストからのジョブの選択及び「中止」キーの押下は、操作部がタッチパネルにより構成されていることから、リスト上の所望のジョブを利用者が指示することで行える。装置は指示されたジョブを選択されたリストとしてマークし、必要に応じて反転等で再表示し、中止キーが押されたならそのジョブを削除する。
【０１３０】
このように、ストップキーの押下に応じて中止可能なジョブのリストを表示し、その中からジョブを選択して中止あるいは削除することで、削除したジョブの種類に関わらず同じ手順でジョブ削除することが可能となり、操作性を向上させ、誤ったジョブの削除を防止することができる。
【０１３１】
次に、ジョブを管理するための仕組みを説明する。
【０１３２】
・Device Information Servce（ＤＩＳ）
コントローラ内でジョブに対する設定値、デバイス（スキャナ、プリンタなど）の機能、ステータス、課金情報等をControl APIに準拠したデータ形態で保持するデータベースと、そのデータベースとのＩ／ＦをDevice Information Service（以下、ＤＩＳと呼称する）として定義している。図１７にＤＩＳ７１０２とJob Manager７１０１、及びScan、Printの各Document Manager７１０３，７１０４とのやり取りを示す。
【０１３３】
基本的に、Ｊｏｂの開始命令など動的な情報はJob Manager７１０１から各Document Managerに直接指示され、デバイスの機能やジョブの内容など静的な情報はＤＩＳ７１０２を参照する。各Document Managerからの静的、動的情報、イベントはＤＩＳ７１０２を介してJob Manager７１０１に伝えられる。
【０１３４】
各Document ManagerからＤＩＳのデータベースにデータの設定、取得を行う場合、ＤＩＳの内部データ形式がControl API準拠であることから、Control APIに準拠したデータ形式と各Document Managerが理解できるデータ形式との相互の変換処理を行う。例えば、各Document Managerからステータスデータの設定を行う場合、デバイス固有のデータを解釈し、Control APIで定義される対応するデータに変換し、ＤＩＳのデータベースへ書き込みを行う。Job ManagerからＤＩＳのデータベースにデータの設定、取得を行う場合には、Job ManagerとＤＩＳの間でデータの変換は生じない。
【０１３５】
またＤＩＳには、Document Managerから通知される各種イベント情報に基づき、イベントデータの更新が行われる。
【０１３６】
図１８にＤＩＳ内部に保持される各種データベース（以下、ＤＢと呼称する）を示し、それぞれのＤＢについて説明する。図１８中の丸角長方形は個々のＤＢを表している。
【０１３７】
７２０１はSupervisor DBであり、機器全体についてのステータスやユーザ情報を保持しているＤＢであり、ユーザＩＤやパスワード等、バックアップが必要な情報はＨＤ装置、あるいはバックアップメモリなどの不揮発性の記憶装置に保持される。
【０１３８】
７２０２はScan Component DB、７２０３はPrint Component DBであり、これらComponent DBは存在するComponent毎に対応して保持される。例えば、プリンタのみからなる機器の場合はPrint Component DBのみが存在し、また例えば、ＦＡＸを備えた機器の場合はFAX Component DBが保持される。各Component DBには初期化時に、それぞれ対応するDocument ManagerがComponentの機能やステータスを設定する。
【０１３９】
７２０４はScan Job Service DB、７２０５はPrint Job Service DBであり、これらのJob Service DBもComponent DB同様、初期化時にそれぞれ対応するDocument Managerが機器で使用できる機能や、それらのサポート状況を設定する。
【０１４０】
次にJob DB、Document DBについて説明する。７２０６はScan Job DB、７２０７はPrint Job DBの各Job DB、７２０８はScan Document DB、７２０９はPrint Document DBである。
【０１４１】
Job DB、Document DBはＪｏｂとそれに付随するDocumentが生成される度にJob Managerにより動的に確保、初期化が行われ、必要な項目の設定が行われる。各Document ManagerはＪｏｂの処理開始前にJob DB、およびDocument DBから処理に必要な項目を読み出し、Ｊｏｂを開始する。その後、Ｊｏｂが終了するとこれらのＪｏｂ、及びそれに付随していたDocumentのＤＢは解放される。Ｊｏｂは１つ以上のDocumentを持つので、あるＪｏｂに対して複数のDocumentＤＢが確保される場合がある。
【０１４２】
７２１０は各Document Managerから通知されるイベント情報を保持するデータベース、７２１１は装置のＳｃａｎ回数、Ｐｒｉｎｔ回数を記録するためのカウンタテーブルである。
【０１４３】
Document Managerから通知されるイベントには、Scan Document ManagerからのComponentの状態遷移、Ｓｃａｎ処理動作完了や各種のエラー、またPrint Document ManagerからのComponentの状態遷移、Ｐｒｉｎｔ処理動作完了、紙詰まり、給紙カセットオープンなどがあり、それぞれのイベントを識別するためのイベントＩＤが予め定められている。
【０１４４】
Document Managerからイベントが発行された場合、ＤＩＳはイベントデータベース７２１１に発行されたイベントＩＤと必要なら該イベントに付随する詳細データを登録する。また、Document Managerからイベントの解除が通知された場合、解除指定されたイベントデータをイベントデータベース７２１１から削除する。
【０１４５】
Job Managerよりイベントのポーリングが行われた場合、ＤＩＳはイベントデータベース７２１０を参照し、現在発生しているイベントＩＤと必要ならイベントに付随する詳細データをJob Managerへ返信し、現在イベントが発生していなければその旨を返信する。
【０１４６】
また、Ｓｃａｎ処理動作完了、Ｐｒｉｎｔ処理動作完了のイベントが通知された場合はＳｃａｎ、Ｐｒｉｎｔを行ったユーザのカウンタ値を更新する。このソフトウェアによるカウンタは不慮の電源遮断などでその値が失われないように、バックアップされたメモリ装置やＲＤ装置の不揮発性記憶装置にその値が更新されるたびに書き戻す。
【０１４７】
・スキャン動作
以下にスキャン動作の詳細について説明する。図１９はスキャン動作に関するブロックの概念図である。ＰＣＩバス８１０５にＣＰＵ８１０１とメモリ８１０２、画像の圧縮・伸長ボード８１０４、及びスキャナ８１０７と、このシステムを接続するためのＩ／Ｆを提供するSCSI I/F回路８１０３が接続されている。SCSI I/F回路８１０３とスキャナ（または複合機能を有する複写機のスキャナ機能ユニット）８１０７はＳＣＳＩインターフェースケーブル８１０６で接続されている。またＰＣＩバス８１０５にはIDE Controller８１０８が接続されており、IDE Cable８１０９を介してIDE Hard Disk８１１０と接続されている。
【０１４８】
図２０はスキャン動作に関するソフトウェア構造を示したものである。Job Manager８２０１はアプリケーションレベルの要求を分類、保存する機能を持つ。ＤＩＳ８２０２はアプリケーションレベルからのスキャン動作に必要なパラメータを保存する。アプリケーションからの要求はメモリ８１０２に保存される。スキャン動作管理部８２０３はJob Manager８２０１とＤＩＳ８２０２からスキャンを行うのに必要な情報を取得する。スキャン動作管理部８２０３はJob Manager８２０１から図２１のジョブ番号、ドキュメント番号のテーブルデータ８３０１を受け取り、ジョブ番号、ドキュメント番号のテーブルデータ８３０１を元に、ＤＩＳ８２０２よりスキャンパラメータ８３０２をうけとる。これによりアプリケーションから要求されているスキャン条件を元にスキャンを行う。
【０１４９】
スキャン動作管理部８２０３はＤＩＳ８２０２から取得したスキャンパラメータ８３０２をドキュメント番号順にスキャンシーケンス制御部８２０４に渡す。スキャンパラメータ８３０２を受け取ったスキャンシーケンス制御部８２０４はスキャン画像属性８３０８の内容に従ってＳＣＳＩ制御部８２０７をコントロールする。これにより図１９のＰＣＩ８１０５に接続されたSCSI Controller８１０３を動作させることにより、ＳＣＳＩケーブル８１０６を介してScanner８１０７にＳＣＳＩ制御コマンドを送ることによりスキャンが実行される。
【０１５０】
スキャンした画像はSCSI Cable８１０６を介してSCSI Controller８１０３にわたり、さらにＰＣＩ８１０５を介してMemory８１０２に格納される。スキャンシーケンス制御部８２０４はスキャンが終了し、ＰＣＩ８１０５を介してMemory８１０２に画像が格納された時点で、スキャンパラメータ８３０２のスキャン画像圧縮形式８３０９の内容にしたがって、Memory８１０２に格納されているスキャン画像を圧縮するために、圧縮・伸長制御部８２０５に対して要求を出す。要求を受け取った圧縮・伸長制御部８２０５はＰＣＩ８１０５に接続されているＣＯＤＥＣ８１０４を用いて、スキャンシーケンス制御部８２０４からのスキャン画像圧縮形式８３０９の指定で圧縮を行う。圧縮・伸長制御部８２０５は圧縮された画像をＰＣＩ８１０５を介してMemory８１０２に格納する。
【０１５１】
スキャンシーケンス制御部８２０４は圧縮・伸長制御部８２０５がスキャン画像圧縮形式８３０９で指定された形式にスキャン画像を圧縮し、Memory８１０２に格納した時点で、スキャンパラメータ８３０２の画像ファイルタイプ８３０７にしたがってMemory８１０２に格納されている圧縮されたスキャン画像をファイル化する。スキャンシーケンス制御部８２０４はファイルシステム８２０６に対して、スキャンパラメータ８３０２の画像ファイルタイプ８３０７で指定されたファイル形式でファイル化することを要求する。ファイルシステム８２０６はスキャンシーケンス制御部８２０４からの画像ファイルタイプ８３０７にしたがって、Memory８１０２に格納されている圧縮された画像をファイル化し、ＰＣＩ８１０５を介してIDE Controller８１０８に転送し、IDE Cable８１０９を介してIDE Hard Disk８１１０に転送することによりスキャンされた圧縮画像をファイル化する。
【０１５２】
スキャンシーケンス制御部８２０４はファイルシステム８２０６がIDE Hard Disk８１１０にファイル化された画像を格納した時点で、Scanner８１０７上の一枚の現行の処理が終了したとして、スキャン動作管理部８２０３にスキャン終了通知を送り返す。この時点でScanner８１０７上にまだスキャンが行われていない原稿が存在し、Job Manager８２０１からスキャン要求が存在する場合には再度、ＤＩＳ８２０２に格納されているスキャンパラメータ８３０２を用いてスキャンシーケンス制御部にスキャン動作を要求する。Scaner８１０７上にスキャンされていない原稿が存在しない場合、またはJob Manager８２０１からのスキャン要求が存在しない場合には、スキャン動作が終了したものとしてJob Manager８２０１に対してスキャン終了通知を発行する。
【０１５３】
・プリント動作
以下でプリント動作について詳細に説明する。
【０１５４】
図２２はプリント動作に関するブロックの概念図である。ＰＣＩバス９００５にＣＰＵ９００１とメモリ９００２、画像の圧縮・伸張ボード９００４、及びプリンタ９００７と、このシステムを接続するためのＩ／Ｆを提供するEngine I/Fボード９００３が接続されている。Engine I/Fボード９００３とプリンタ（または複合機能を有する複写機のプリンタ機能ユニット）９００７はエンジンインターフェースケーブル９００６で接続されている。
【０１５５】
Engine I/Fボードは内部にＤＰＲＡＭを持ち、このＤＰＲＡＭを介してプリンタへのパラメータ設定及びプリンタの状態読み出しと、プリントの制御コマンドのやりとりを行う。またこのボードはVideoコントローラを持ち、プリンタからエンジンインターフェースケーブル経由で与えられるＶＣＬＫ(Video Clock)とＨＳＹＮＣに合わせて、ＰＣＩ上に展開されているイメージデータをエンジンインターフェースケーブルを介してプリンタに送信する。この送信のタイミングを図で表すと図２３の様になる。ＶＣＬＫは常に出続け、ＨＳＹＮＣがプリンタの１ラインの開始に同期して与えられる。Videoコントローラは設定された画像幅(WIDTH)分のデータを、設定されたＰＣＩ上のメモリ(SOURCE)から読み出して、Video信号としてエンジンインターフェースケーブルに出力する。これを指定ライン分(LINES)繰り返した後、IMAGE_END割り込みを発生する。
【０１５６】
先に説明したとおり、ＣＰＵ上のアプリケーションプログラムからControll APIにプリントジョブの指示が渡されると、Controll APIはこれをコントローラレベルのJob Managerにジョブとして渡す。さらにこのJob Managerはジョブの設定をＤＩＳに格納し、Print Managerにジョブの開始を指示する。Print Managerはジョブを受け付けるとＤＩＳからジョブ実行に必要な情報を読み出し、Engine I/Fボード及び、ＤＰＲＡＭを介してプリンタに設定する。
【０１５７】
Engine I/Fボードの設定項目を図２４に、プリンタのＤＰＲＡＭを介した設定項目及び制御コマンド、状態コマンドを図２５に示す。
【０１５８】
簡単のためにこのジョブを非圧縮、レター（１１″ｘ８．５″）サイズ２値画像の、２ページ１部プリント、プリンタが６００dpiの性能を持つものとして、具体的に動作を説明する。
【０１５９】
まず、このジョブを受けるとPrint Managerはこの画像の幅（この場合８．５″の側とする）の画像バイト数を算出する。
【０１６０】
ＷＩＤＴＨ＝８．５×６００÷８≒６３０(Bytes)
次にライン数を演算する。
【０１６１】
ＬＩＮＥＳ＝１１×６００＝６６００(Lines)
これらの算出した値と、与えられた１ページ目の画像が格納されているSOURCEアドレスとを図２４に示したWIDTH，LINES，SOURCEに設定する。この時点でEngine I/Fボードは画像出力の用意が完了しているが、プリンタからのＨＳＹＮＣ信号が来ていないため（ＶＣＬＫは来ている）画像データを出力していない。
【０１６２】
次にPrint Managerは図２５に示したＤＰＲＡＭの所定のアドレス(BookNo)に出力部数である１を書き込む。その後、１ページ目に対する出力用紙の給紙要求(FEED_REQ)を出し、プリンタからのIMAGE_REQを待つ。プリンタからIMAGE_REQが来たら、IMAGE_STARTを出す。これを受けてプリンタはＨＳＹＮＣを出し始め、ＨＳＹＮＣ待ちであったEngine I/Fボードは画像を出力する。プリンタは出力用紙の後端を検出すると、IMAGE_ENDを出力し、出力用紙が排出されるとSHEET_OUTを出力する。
【０１６３】
Print Managerは１ページ目のIMAGE_ENDを受けて、２ページ目のWIDTH，LINES，SOURCEをEngine I/Fボードに設定し、FEED_REQを出して、IMAGE_REQを待つ。２ページ目のIMAGE_REQが来てからの動作は、１ページ目と同様である。
【０１６４】
以上説明したように、本実施形態によれば、ジョブを削除する際の操作をジョブの種類に関わらず統一し、操作性の向上を図ることができる。
【０１６５】
＜第２の実施の形態＞
第２の実施形態は、その構成は第１の実施形態と同様である。ただし、ストップキーが押された際の処理手順が第１の実施形態とは異なっている。図１１にストップキーが押された際の流れ図を示す。
【０１６６】
図１１にてストップキーが押下（ステップＳ３８０１）されると、ＣＰＵ２００１は、ジョブ削除モードの記憶手段である２００４のＨＤＤに記憶されている、ジョブ削除モードを読み出す（ステップＳ３８０２）。読み出したジョブ削除モードが、ジョブ削除モード１か否かをまず検証し（ステップＳ３８０３）、ジョブ削除モード１であれば、ジョブ削除モード１の処理へ移行する。もし、ジョブ削除モード１でなければ、次にジョブ削除モード２であるか否かを検証し（ステップＳ３８０５）、ジョブ削除モード２であれば、ジョブ削除モード２の処理へ移行する。さらに、ジョブ削除モード２でもなければ、ジョブ削除モード３の処理へ移行することになる（ステップＳ３８０７）。なお、このジョブ削除モードは、操作部２０１２から、テンキーを利用して、ユーザの指定により予め入力されているものとする。
【０１６７】
以下にそれぞれのジョブ削除モードの詳細を、フロー図を用いて説明する。
【０１６８】
・ジョブ削除モード１
ストップキー押下により、ジョブ削除モード１の処理へ移行した場合、図１２のステップＳ３８１２にて、スキャンジョブの有無を検証する。スキャンジョブが存在した場合、スキャン停止をControllerに対して要求し、そのスキャン動作を停止させる。また、スキャンジョブが存在しなかった場合は、ストップ処理は無効となり、たとえプリントジョブやその他通信系ジョブが存在していたとしても、それらの動作に影響を及ぼすことはない。
【０１６９】
ジョブ識別部にて識別されるジョブは、図１７のJob Manager７１０１（後述）にて、管理されているものである。
【０１７０】
・ジョブ削除モード２
ストップキー押下により、ジョブ削除モード２の処理へ移行した場合、図１３のステップＳ３８２２にて、プリントジョブの有り／無しを識別する。プリントジョブもしくはその他通信系ジョブが存在した場合、図１５に示すようなジョブリストを、図５操作部の液晶表示部２０１３に表示する。
【０１７１】
操作者は、ジョブリストから、一つ以上の任意のジョブを選択可能で、選択された一つ以上のジョブの停止を、Controllerに対して要求し、現在稼働中のジョブに対しては、そのジョブを停止させ、待機中もしくは中断中のジョブに対してはジョブの削除を行う。
【０１７２】
一方、ステップＳ３８２２にて、プリントジョブもしくはその他通信系ジョブなしと判断された場合、ステップＳ３８２４で更にスキャンジョブの有り／無しを検証し、スキャンジョブが存在した場合は、スキャンジョブ削除をControllerに対して要求し、そのスキャン動作を停止させる。
【０１７３】
更に、ステップＳ３８２４にてスキャンジョブ無しと判断された場合は、ストップキーは無効となる。
【０１７４】
・ジョブ削除モード３
ストップキー押下により、ジョブ削除モード３の処理へ移行した場合、図１４のステップＳ３８３２にてジョブの有り／無しを検証し、ジョブが存在した場合は、図１５のジョブリスト表示を行う。ここで言うジョブとは、プリントジョブ、スキャンジョブ、その他通信系ジョブのすべてが該当する。
【０１７５】
ジョブリスト上での操作は、前述したものと同様の操作が可能である。
【０１７６】
一方、ステップＳ３８３２にてジョブなしと判断された場合は、ストップキーは無効となる。
【０１７７】
以上のように、削除モードをあらかじめ設定し、設定された削除モードに応じて、（１）スキャンジョブがあればそれを中止する（２）プリントジョブあるいは通信ジョブがあれば、それらのリストを表示してその中から中止するジョブを選択させ、スキャンジョブのみがあればそれを中止する（３）ジョブのリストを表示し、その中から削除するジョブを選択する、という３種類の処理を選択敵に遂行できる。
このため、ストップキーを、第１の実施形態のようにジョブに対する統一的な削除操作のために使用することもできるし、スキャンジョブを中止するためのキーとして使用することもできる。さらに、スキャンジョブであれば中止し、その他のジョブであれば削除するジョブを選択させることもできる。
このように、利用者の使い勝手に応じて柔軟なキー割り当てが可能となり、操作性の向上をはかることができる。
【０１７８】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１７９】
また、本発明の目的は、前述した実施形態の機能を実現する、図１０あるいは図１１乃至１４の手順のソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても達成される。
【０１８０】
この場合、記憶媒体から読み出されたプログラムコード自体が前述した実施形態の機能を実現することになり、そのプログラムコードを記憶した記憶媒体は本発明を構成することになる。
【０１８１】
また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれる。
【０１８２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施形態の機能が実現される場合も含まれる。
【０１８３】
【発明の効果】
以上説明したように、本発明によれば、ストップキー押下により複数のプリントジョブ、通信系ジョブおよびスキャンジョブの削除が可能になり、操作性を向上させることができる。
【０１８４】
また、ジョブ削除モードをユーザの好みに合わせて設定することが可能であるため、複数のジョブが平列して動作していても、ジョブ別除の操作を容易に行うことができる。
【図面の簡単な説明】
【図１】実施形態のデジタル複合機を接続してなるネットワークシステムの構成図である。
【図２】実施形態のデジタル複合機のソフトウェアの全体構成図である。
【図３】実施形態のデジタル複合機の全体ブロック図である。
【図４】実施形態のデジタル複合機におけるスキャナ部、プリンタ部、及び操作部の外形図である。
【図５】実施形態のデジタル複合機における操作部を示す図である。
【図６】実施形態のデジタル複合機におけるスキャナ画像処理部のブロック図である。
【図７】実施形態のデジタル複合機におけるプリンタ画像処理部のブロック図である。
【図８】実施形態のデジタル複合機における操作部の図である。
【図９】操作部における画面の一例を示す図である。
【図１０】第１の実施形態のデジタル複合機におけるストップキー押下時の処理フロー図である。
【図１１】第２の実施形態のデジタル複合機におけるストップキー押下時の処理フロー図である。
【図１２】第２の実施形態のデジタル複合機におけるストップキー押下時の処理フロー図である。
【図１３】第２の実施形態のデジタル複合機におけるストップキー押下時の処理フロー図である。
【図１４】第２の実施形態のデジタル複合機におけるストップキー押下時の処理フロー図である。
【図１５】ジョブリストの一例を示す図である。
【図１６】組み込みアプリケーション説明のブロック図である。
【図１７】ＤＩＳとJob Manager、Print Manager、Scan Managerとのやり取りを示す図である。
【図１８】ＤＩＳ内部のデータベース、及びカウンタを示す図である。
【図１９】スキャンに関するハードウェア制御のブロック図である。
【図２０】スキャンにおけるソフトウェア制御のブロック図である。
【図２１】スキャンにおけるパラメータテーブルの概略図である。
【図２２】プリントに関するブロック図である。
【図２３】プリントイメージデータの転送タイミング図である。
【図２４】  Engine I/Fボード内のプリントパラメータレジスタ表である。
【図２５】プリンタとEngine I/Fボードとの通信コマンド表である。
【図１】
0003814452.tif 000002
【図２】
0003814452.tif 000003
【図３】
0003814452.tif 000004
【図４】
0003814452.tif 000005
【図５】
0003814452.tif 000006
【図６】
0003814452.tif 000007
【図７】
0003814452.tif 000008
【図８】
0003814452.tif 000009
【図９】
0003814452.tif 000010
【図１０】
0003814452.tif 000011
【図１１】
0003814452.tif 000012
【図１２】
0003814452.tif 000013
【図１３】
0003814452.tif 000014
【図１４】
0003814452.tif 000015
【図１５】
0003814452.tif 000016
【図１６】
0003814452.tif 000017
【図１７】
0003814452.tif 000018
【図１８】
0003814452.tif 000019
【図１９】
0003814452.tif 000020
【図２０】
0003814452.tif 000021
【図２１】
0003814452.tif 000022
【図２２】
0003814452.tif 000023
【図２３】
0003814452.tif 000024
【図２４】
0003814452.tif 000025
【図２５】
0003814452.tif 000026